(57)【要約】      （修正有）【課題】複数種のシャワーを使用者の利用に供することができる簡易設置できる多機能シャワー装置を提供する。【解決手段】頭上シャワー部４、噴霧シャワー部５、ハンドシャワー部６と、シャワー装置基体２に取り付けた１個の給水受部と第１乃至第３の吐出部とを有する４分岐分配具と、混合水栓２１のハンドシャワー用接続栓２２に一端を接続アダプタ２３を介して接続し、４分岐分配具の給水受部に他端を接続するシャワー用供給ホース２０と、４分岐分配具の第１、第２の吐出部と、頭上シャワー部４、噴霧シャワー部５とを接続する基体内配管系と、ハンドシャワー用ホース７、ハンドシャワーヘッド８を備え、ハンドシャワー用ホース７の給水受端７ａを４分岐分配具の第３の吐出部に接続するハンドシャワー部６と、４記分岐分配具に取り付けられ、各吐出部の吐出系統を切り換える切り換え摘み１５とを有する。【選択図】図１
0003156883.tif 000002
【実用新案登録請求の範囲】
【請求項１】
ハンドシャワー用接続栓を有する混合水栓に接続され、複数種のシャワーを噴出する簡易設置できる多機能シャワー装置であって、
縦長で背面側に配管用凹陥部と、壁面用係止部を設け、上部が手前側に湾曲形成されたシャワー装置基体と、
シャワー装置基体の複数箇所に設けた異なる種類のシャワーを吐出する複数のシャワー部と、
前記シャワー装置基体に取り付けた１個の給水受部と複数の吐出部とを有する分岐分配具と、
前記混合水栓のハンドシャワー用接続栓に一端を前記シャワー用接続栓と対応するサイズの接続アダプタを介して接続し、前記分岐分配具の給水受部に他端を接続するシャワー用供給ホースと、
前記分岐分配具の各吐出部と、複数のシャワー部とを各々接続する基体内配管系と、
ハンドシャワー用ホース、ハンドシャワーヘッドを備え、ハンドシャワー用ホースの給水受端を前記分岐分配具の吐出部の一つに接続するハンドシャワー部と、
前記分岐分配具に取り付けられ、複数の吐出部の吐出系統を切り換える切り換え部と、
を有し、
前記シャワー装置基体の壁面用係止部により、該シャワー装置基体を壁面に取り付け可能としたことを特徴とする簡易設置できる多機能シャワー装置。
【請求項２】
ハンドシャワー用接続栓を有する混合水栓に接続され、複数種のシャワーを噴出する簡易設置できる多機能シャワー装置であって、
縦長で背面側に配管用凹陥部と、壁面用係止部を設け、上部が手前側に湾曲形成されたシャワー装置基体と、
シャワー装置基体の正面に設けた単数若しくは複数の噴霧シャワー部と、
シャワー装置基体の上部に設けた頭上シャワー部と、
前記シャワー装置基体に取り付けた１個の給水受部と第１乃至第３の吐出部とを有する４分岐分配具と、
前記混合水栓のハンドシャワー用接続栓に、一端を前記シャワー用接続栓と対応するサイズの接続アダプタを介して接続し、前記４分岐分配具の給水受部に他端を接続するシャワー用供給ホースと、
前記４分岐分配具の第１の吐出部と噴霧シャワー部とを接続するとともに、前記４分岐分配具の第２の吐出部と頭上シャワー部とを接続する基体内配管系と、
ハンドシャワー用ホース、ハンドシャワーヘッドを備え、ハンドシャワー用ホースの給水受端を前記４分岐分配具の第３の吐出部に接続するハンドシャワー部と、
前記４分岐分配具に取り付けられ、第１乃至第３の吐出部の吐出系統を切り換える切り換え部と、
を有し、
前記シャワー装置基体の壁面用係止部を、壁面に設けた既存のハンドシャワー用ホース用の受止具に係止することで該シャワー装置基体を壁面に取り付けるようにしたことを特徴とする簡易設置できる多機能シャワー装置。
【請求項３】
ハンドシャワー用接続栓を有する混合水栓に接続され、複数種のシャワーを噴出する簡易設置できる多機能シャワー装置であって、
縦長で背面側に配管用凹陥部と、壁面用係止部を設け、上部が手前側に湾曲形成されたシャワー装置基体と、
シャワー装置基体の正面に設けた単数若しくは複数の噴霧シャワー部と、
シャワー装置基体の上部に設けた頭上シャワー部と、
前記シャワー装置基体に取り付けた１個の給水受部と第１乃至第３の吐出部とを有する４分岐分配具と、
前記混合水栓のハンドシャワー用接続栓に、一端を前記シャワー用接続栓と対応するサイズの接続アダプタを介して接続し、前記４分岐分配具の給水受部に他端を接続するシャワー用供給ホースと、
前記４分岐分配具の第１の吐出部と噴霧シャワー部とを接続するとともに、前記４分岐分配具の第２の吐出部と頭上シャワー部とを接続する基体内配管系と、
ハンドシャワー用ホース、ハンドシャワーヘッドを備え、ハンドシャワー用ホースの給水受端を前記４分岐分配具の第３の吐出部に接続するハンドシャワー部と、
前記４分岐分配具に取り付けられ、第１乃至第３の吐出部の吐出系統を切り換える切り換え部と、
を有し、
前記シャワー装置基体の壁面用係止部を、壁面にアンカーボルトで固定される受止金具に係止することで該シャワー装置基体を壁面に取り付けるようにしたことを特徴とする簡易設置できる多機能シャワー装置。
【考案の詳細な説明】
【技術分野】
【０００１】
本考案は、誰でも簡単に設置できる多機能シャワー装置に関し、詳しくは、浴室、シャワールーム等に混合水栓とともに設置されるハンドシャワーと交換することで、誰でも簡単に設置でき、複数種のシャワーを使用者に提供できるようにした簡易設置できる多機能シャワー装置に関するものである。
【背景技術】
【０００２】
例えば、ホテルや旅館の個室内の浴室や一般個人住宅等における浴室等においては、混合水栓とともにこの混合水栓から湯水が供給されるハンドシャワー部が設置されることが多い、
【０００３】
このような形態の給水給湯システムの場合、浴室等の利用者は、混合水栓からの給水給湯の他にはハンドシャワー部による一種類のシャワーしか利用できない。
【０００４】
他方、ホテルや旅館の大浴場、公衆浴場等においては、頭上噴流型、噴霧シャワー、ジェットシャワー等各種の形態のシャワーが設備され、これにより、利用者は自己の好みに応じたシャワーを利用することが可能となっている。
【０００５】
しかし、このような複数種構成のシャワー設備を、一般個人住宅やホテルや旅館の個室内の浴室等に設置することは、配管設備の複雑化、装置コストの増大等の理由で実現することが難しいのが実情である。
【０００６】
特許文献１には、利用者に複数種のシャワーを実現し提供することを目的として、縦長の本体殻に、複数種類のシャワーノズル、操作ハンドルを直接固定し、更に、ハンドシャワーのホースの引出し部を設け、前記本体殻内部でノズルと操作ハンドルの配管接続をし、配管接続端をシャワー室床面近くの壁面に設けられている湯水混合栓に接続するように構成した複数種のノズルを備えるシャワー装置が提案されている。
【０００７】
しかし、特許文献１の場合、本体殻に対して、ハンドシャワーノズル、ジェットシャワーノズル、ミストシャワーノズル、ウォーターホールシャワーノズル等のノズル群、これらの配管系、これらを操作する操作するハンドル群を設けた複雑構造で重量も大きく、高価格なものであり、施工面でも技術専門家の力を必要とするものであった。
【先行技術文献】
【特許文献】
【０００８】
【特許文献１】特開２０００−７０１６７号公報
【考案の概要】
【考案が解決しようとする課題】
【０００９】
本考案が解決しようとする問題点は、例えば一般個人住宅等の浴室において、技術専門家でなくても、混合水栓とともに設置されている既存のハンドシャワーと簡略に交換することができ、誰でも簡単に設置でき、複数種のシャワーを使用者に提供し得るような簡略安価な多機能シャワー装置が存在しない点である。
【課題を解決するための手段】
【００１０】
本考案は、ハンドシャワー用接続栓を有する混合水栓に接続され、複数種のシャワーを噴出する簡易設置できる多機能シャワー装置であって、縦長で背面側に配管用凹陥部と、壁面用係止部を設け、上部が手前側に湾曲形成されたシャワー装置基体と、シャワー装置基体の複数箇所に設けた異なる種類のシャワーを吐出する複数のシャワー部と、前記シャワー装置基体に取り付けた１個の給水受部と複数の吐出部とを有する分岐分配具と、前記混合水栓のハンドシャワー用接続栓に一端を前記シャワー用接続栓と対応するサイズの接続アダプタを介して接続し、前記分岐分配具の給水受部に他端を接続するシャワー用供給ホースと、前記分岐分配具の各吐出部と、複数のシャワー部とを各々接続する基体内配管系と、ハンドシャワー用ホース、ハンドシャワーヘッドを備え、ハンドシャワー用ホースの給水受端を前記分岐分配具の吐出部の一つに接続するハンドシャワー部と、前記分岐分配具に取り付けられ、複数の吐出部の吐出系統を切り換える切り換え部と、を有し、前記シャワー装置基体の壁面用係止部により、該シャワー装置基体を壁面に取り付け可能としたことを最も主要な特徴とする。
【考案の効果】
【００１１】
請求項１、２記載の考案によれば、例えば一般個人住宅等の浴室において、複数種のシャワー、すなわち、使用者の頭上へ流下するシャワー、噴霧状のシャワー、ハンドシャワーという３種のシャワーを使用者に提供できるとともに、全体として軽量で、かつ、簡略安価で、しかも、施工面でも極めて簡略容易で、誰でも簡単に設置できる多機能シャワー装置を実現し提供することができる。
【００１２】
請求項３記載の考案によれば、上記効果を奏するとともに、既存のハンドシャワーが壁面に固定され取り外しできないような場合にも対応でき、誰でも設置できる多機能シャワー装置を実現し提供することができる。
【図面の簡単な説明】
【００１３】
【図１】図１は本考案の実施例に係る多機能シャワー装置の全体構成を示す概略分解斜視図である。
【図２】図２は本実施例に係る多機能シャワー装置におけるシャワー装置基体の側面図である。
【図３】図３は本実施例に係る多機能シャワー装置におけるシャワー装置基体、基体内配管系を示す背面図である。
【図４】図４は本実施例に係る多機能シャワー装置におけるシャワー装置基体に取り付けた４分岐分配具を示す正面図である。
【図５】図５は本実施例に係る多機能シャワー装置の壁面への取り付け態様の他例を示す概略分解斜視図である。
【図６】図６は本実施例に係る多機能シャワー装置における壁面にアンカーボルトで固定される受止金具を示す部分拡大断面図である。
【考案を実施するための形態】
【００１４】
本考案は、一般個人住宅等の浴室において、技術専門家でなくても、混合水栓とともに設置されている既存のハンドシャワーと簡略に交換することができ、複数種のシャワーを使用者の利用に供することができ簡略安価で誰でも簡単に設置できる多機能シャワー装置を実現し提供するという目的を、ハンドシャワー用接続栓を有する混合水栓に接続され、複数種のシャワーを噴出する多機能シャワー装置であって、縦長で背面側に配管用凹陥部と、壁面用係止部を設け、上部が手前側に湾曲形成されたシャワー装置基体と、シャワー装置基体の正面に設けた単数若しくは複数の噴霧シャワー部と、シャワー装置基体の上部に設けた頭上シャワー部と、前記シャワー装置基体に取り付けた１個の給水受部と第１乃至第３の吐出部とを有する４分岐分配具と、前記混合水栓のハンドシャワー用接続栓に、一端を前記シャワー用接続栓と対応するサイズの接続アダプタを介して接続し、前記４分岐分配具の給水受部に他端を接続するシャワー用供給ホースと、前記４分岐分配具の第１の吐出部と噴霧シャワー部とを接続するとともに、前記４分岐分配具の第２の吐出部と頭上シャワー部とを接続する基体内配管系と、ハンドシャワー用ホース、ハンドシャワーヘッドを備え、ハンドシャワー用ホースの給水受端を前記４分岐分配具の第３の吐出部に接続するハンドシャワー部と、前記分岐分配具に取り付けられ、第１乃至第３の吐出部の吐出系統を切り換える切り換え部と、を有し、前記シャワー装置基体の壁面用係止部を、壁面に設けた既存のハンドシャワー用ホース用の受止具に係止することで該シャワー装置基体を壁面に取り付ける構成とすることにより実現した。
【実施例】
【００１５】
以下に本考案の実施例に係る簡易設置できる多機能シャワー装置１について、図１乃至図４を参照して詳細に説明する。
【００１６】
本実施例に係る多機能シャワー装置１は、例えば一般家庭等の浴室、シャワー室等の壁面２５に装備されているハンドシャワー用接続栓２２を有する例えば２ハンドル型の混合水栓２１に接続され、複数種のシャワーを噴出する構成としたものである。
【００１７】
本実施例に係る多機能シャワー装置１は、図１に示すように、例えば、合成樹脂材又は金属材からなり、縦長に形成され上部２ａが手前側に湾曲形成されたシャワー装置基体２を有している。
【００１８】
このシャワー装置基体２の背面側には、図３に示すように、その下端から長さ方向中央部のやや上方に至る範囲にわたって前記シャワー装置基体２の両側辺部を折り返すことにより形成した配管用凹陥部３が設けられている。
【００１９】
更に、前記配管用凹陥部３の下部側と上部側に長さ方向と直交する配置で、かつ、前記両側辺部間を繋ぐ形態の一対の壁面用係止部３ａ、３ａを設けている。
【００２０】
前記シャワー装置基体２の上部２ａには、図１、図２に示すように、例えば薄型直方体形状の頭上シャワー部４をシャワー噴出面を下方に向けた状態で取り付け、また、前記シャワー装置基体２の正面には、例えば噴霧（ミスト）を噴出する３個の噴霧シャワー部５を噴出面を手前に向けた状態で取り付けている。なお、前記３個の噴霧シャワー部５に替えて、３個のジッット噴流式のシャワー部とすることも可能である。
【００２１】
本実施例に係る多機能シャワー装置１は、更に、図１に示すように、ハンドシャワー用ホース７、ハンドシャワーヘッド８を備えるハンドシャワー部６を有している。
【００２２】
前記シャワー装置基体２における配管用凹陥部３の下端近傍位置には、図３、図４に示すように、外周ネジ構造の１個の円筒状の給水受部１０と、同じく外周ネジ構造で円筒状の第１乃至第３の吐出部１１ａ乃至１１ｃとを有する４分岐分配具９を取り付けている。
【００２３】
この４分岐分配具９は、前記シャワー装置基体２の正面側に配置した切り換え部で切り換え摘まみ１５に連結され、切り換え摘まみ１５を回動操作することで、前記第１乃至第３の吐出部１１ａ乃至１１ｃの吐出系統を切り換えるように構成している。
【００２４】
また、前記シャワー装置基体２における配管用凹陥部３には、基体内配管系１２を設けている。
【００２５】
この基体内配管系１２は、前記４分岐分配具９の第１の吐出部１１ａと前記頭上シャワー部４とを接続する第１配管１３と、前記４分岐分配具９の第２の吐出部１１ｂと前記３個の噴霧シャワー部５とを接続する第２配管１４とにより構成している。
【００２６】
更に、前記ハンドシャワー部６におけるハンドシャワー用ホース７の給水受端７ａは、前記４分岐分配具９の第３の吐出部１１ｃにネジ結合で接続するようになっている。
【００２７】
本実施例に係る多機能シャワー装置１は、更に、混合水栓２１のハンドシャワー用接続栓２２と、前記４分岐分配具９の給水受部１０とを接続するシャワー用供給ホース２０を具備している。
【００２８】
前記シャワー用供給ホース２０は、その一端を前記混合水栓２１のハンドシャワー用接続栓２２にこのハンドシャワー用接続栓２２と対応するサイズの接続アダプタ２３（例えば市販されている接続アダプタ２３）を介してネジ結合で接続し、その他端を前記４分岐分配具９の給水受部１０にネジ結合で接続するように構成している。
【００２９】
上述のように構成した本実施例に係る簡易設置できる多機能シャワー装置１は、図１に示すように、前記シャワー装置基体２の背面の壁面用係止部３ａ、３ａを、例えば浴室等の壁面２５に上下配置に設けた既存のハンドシャワー用ホース用の一対の受止具２４、２４に係止し固定保持することで、技術専門家を要することなく誰でも簡単に壁面２５に取り付け使用に供することができる。
【００３０】
また、前記ハンドシャワー部６のハンドシャワーヘッド８は、前記壁面２５の所定の箇所に新たに後述する図６に示す場合と同様なアンカーボルト３０を用いて取り付けるシャワー取付金具２６に係止することで壁面２５に掛け止めるものである。
【００３１】
本実施例に係る簡易設置できる多機能シャワー装置１によれば、例えば一般個人住宅等の浴室において、頭上シャワー部４による使用者の頭上へ流下するシャワー、噴霧シャワー部５による噴霧（ミスト）状のシャワー、ハンドシャワー部６によるハンドシャワーという３種類に異なるシャワーを使用者の好みに応じて選択的に実現し提供することができる。
【００３２】
また、本実施例に係る簡易設置できる多機能シャワー装置１によれば、頭上シャワー部４、噴霧シャワー部５、基体内配管系１２、４分岐分配具９、切り換え摘まみ１５を組み込んだ合成樹脂材又は金属材からなる縦長のシャワー装置基体２と、シャワー用供給ホース２０及び接続アダプタ２３とを有する構成であるため、全体として軽量で、かつ、簡略安価に構成できる利点がある。
【００３３】
更に、本実施例の簡易設置できる多機能シャワー装置１によれば、技術専門家でなくても、前記シャワー装置基体２の一対の壁面用係止部３ａ、３ａを、壁面２５に設けた既存のハンドシャワー用ホース用の受止具２４、２４に係止するとともに、シャワー装置基体２にハンドシャワー部６をネジ結合で連結し、既存の混合水栓２１のハンドシャワー用接続栓２２とシャワー装置基体２に設けた４分岐分配具９とを接続アダプタ２３を用いたシャワー用供給ホース２０により接続するだけで、浴室、シャワー室等の壁面２５に簡略容易に取り付けることができ、施工面でも極めて簡略容易である。
【００３４】
次に、本実施例に係る簡易設置できる多機能シャワー装置１の壁面２５への取り付け態様の他例を図５、図６を参照して説明する。
【００３５】
この場合には、前記シャワー装置基体２の壁面用係止部３ａ、３ａを、壁面２５に公知のアンカーボルト（例えばメカニカル型のアンカーボルト）３０を用いて固定される新設の一対の受止金具３１、３１に係止することで該シャワー装置基体２を壁面２５に取り付けるように構成している。
【００３６】
すなわち、図６に示すように、前記壁面２５に穿設した凹穴３４に、アンカーボルト３０を構成する雌ネジ型のアンカー部３２を打ち込み、長方形状の平板を折曲形成した受止金具３１の孔部３１ａをアンカー部３２の雌ネジ３２ａに対応配置し、前記孔部３１ａを貫通するようにしてアンカーボルト３０を構成するボルト３３をアンカー部３２の雌ネジ３２ａに螺着して、受止金具３１の突出端３１ｂを上方に突出するようにしてこの受止金具３１を壁面に固定するものである。
【００３７】
前記アンカー部３２は、公知のようにボルト３３をねじ込むことにより、その末端の拡開部３２ｂが外方に拡開し、凹穴３４の内壁に密着結合することで、凹穴３４内において強固に固定されるものである。
【００３８】
前記多機能シャワー装置１を図５に示すような態様で壁面２５に取り付けた場合においても、図１に示す構成の場合と同様な作用、効果を発揮させることができる。
【００３９】
また、図５に示すような構成を採用すれば、既存のハンドシャワーが壁面２５に固定され取り外しできないような場合にも前記シャワー装置基体２を壁面２５に容易に取り付けることができる。
【００４０】
なお、上述した実施例では、２ハンドル型の混合水栓２１に多機能シャワー装置１を接続する場合について説明したが、この他、ワンタッチレバー式の混合水栓、サーモスタット型の混合水栓の場合も上述した場合と同様にして多機能シャワー装置１を接続し、使用に供することができることはもちろんである。
【産業上の利用可能性】
【００４１】
本考案は、ホテルや旅館の浴室や、一般個人住宅等における浴室、各種運動施設等のシャワー室等における斬新な多機能シャワー装置として広範に適用可能である。
【符号の説明】
【００４２】
１    多機能シャワー装置
２    シャワー装置基体
２ａ  上部
３    配管用凹陥部
３ａ  壁面用係止部
４    頭上シャワー部
５    噴霧シャワー部
６    ハンドシャワー部
７    ハンドシャワー用ホース
７ａ  給水受端
８    ハンドシャワーヘッド
９    ４分岐分配具
１０    給水受部
１１ａ  第１の吐出部
１１ｂ  第２の吐出部
１１ｃ  第３の吐出部
１２    基体内配管系
１３    第１配管
１４    第２配管
１５    切り換え摘まみ
２０    シャワー用供給ホース
２１    混合水栓
２２    ハンドシャワー用接続栓
２３    接続アダプタ
２４    受止具
２５    壁面
２６    シャワー取付金具
３０    アンカーボルト
３１    受止金具
３１ａ  孔部
３１ｂ  突出端
３２    アンカー部
３２ａ  雌ネジ
３２ｂ  拡開部
３３    ボルト
３４    凹穴
【図１】
0003156883.tif 000003
【図２】
0003156883.tif 000004
【図３】
0003156883.tif 000005
【図４】
0003156883.tif 000006
【図５】
0003156883.tif 000007
【図６】
0003156883.tif 000008